(57)【要約】  外縁部を有するドームを備えるヘルメットカバーである。ドームの外縁部に沿って延びる少なくとも２の係合部が設けられている。【選択図】図３
2013524027.tif 000002
【特許請求の範囲】
【請求項１】
外縁部を有するドームを備えるヘルメットカバーであって、
前記ドームの外縁部に沿って延びる少なくとも２の係合部が設けられていることを特徴とするヘルメットカバー。
【請求項２】
請求項１に記載のヘルメットカバーにおいて、
前記係合部のうちの少なくとも２つが、前記ドームの対向する縁部に沿って延在することを特徴とするヘルメットカバー。
【請求項３】
請求項１または２に記載のヘルメットカバーにおいて、
前記ドームが、フロント部分とリア部分とを含み、このドームの両部分の外縁部の少なくともある領域には、係合部が設けられていないことを特徴とするヘルメットカバー。
【請求項４】
請求項１乃至３の何れか一項に記載のヘルメットカバーにおいて、
前記係合部が、前記ドームに対して内側に延びるフランジによって構成されることを特徴とするヘルメットカバー。
【請求項５】
請求項１乃至４の何れか一項に記載のヘルメットカバーにおいて、
前記カバーが、単一の材料で製造されていることを特徴とするヘルメットカバー。
【請求項６】
請求項１乃至５の何れか一項に記載のヘルメットカバーにおいて、
前記材料が、摩擦低減層で被覆されていることを特徴とするヘルメットカバー。
【請求項７】
請求項１乃至６の何れか一項に記載のヘルメットカバーにおいて、
前記ドームにグラフィクスが与えられていることを特徴とするヘルメットカバー。
【請求項８】
請求項７に記載のヘルメットカバーにおいて、
前記グラフィクスが、前記ドームの内側を向く面に与えられていることを特徴とするヘルメットカバー。
【請求項９】
広告をするために、請求項１乃至８の何れか一項に記載のヘルメットカバーを使用する方法。
【請求項１０】
ヘルメットであって、その上に、請求項１乃至８の何れか一項に記載のヘルメットカバーを有するヘルメット。
【請求項１１】
ヘルメットと、これに対応する請求項１乃至８の何れか一項に記載のヘルメットカバーとを有する部品のキット。
【発明の詳細な説明】
【技術分野】
【０００１】
本発明は、ヘルメットカバーに関するものである。
【背景技術】
【０００２】
増える一方の交通量を考慮すると、見ることと、目に入るようにすることは、最も重要な安全対策の一つである。特に、高速の車両に極めて接近して移動する自転車乗り（cyclers）などの交通弱者にとって、目に入るようにすることは、傷害リスクを回避するために非常に重要であると指導されている。
【０００３】
明らかに、車の間をサイクリングするときは、自転車乗りの頭部またはヘルメットは、その他の道路利用者に最初に目に付き、カラフルなヘルメットを使用することは、ファッション産業で求められる要求およびフレキシビリティの他に、その他の道路利用者の目に入るようにする良い助けとなることが判明している。視界が晴天のときよりも通常は制限される雨や強風のような気象条件においては、目に入るようにすることは、なおさら重要になる。
【０００４】
一方、雨天状況においては、貫通孔を有する標準的なサイクリングヘルメットは、雨が自転車乗りの頭部を濡らすため、不快で不便な面があることを同様に認識すべきである。
【０００５】
上記要求に対処するために、サイクリスト・ヘルメットカバーが提案されている。米国特許第６，３３２，２２８号には、取り外し可能なヘルメットカバーを有するヘルメットであって、カバーをヘルメットに固定するためにヘルメットの貫通孔内に係合するように構成された少なくとも２の係合部をカバーの内側に有するヘルメットが開示されている。
【０００６】
既知のヘルメットカバーの不便なところは、ヘルメットおよびヘルメットカバーのドーム構造に起因して、カバーの係合部は、一の特定の方法においては、最初にリア係合部を固定してその後にフロント係合部を固定しなければ、固定のために貫通孔内に挿入することができないことである。結果としてヘルメットカバーは、逆の動作順序で取り外す必要がある。
【０００７】
しかしながら、フロント係合部を最初に取り外すと、ヘルメットカバーの下に空気が流れて、それによりカバーが持ち上げられ、ヘルメットからヘルメットカバーが完全に取れてしまうため、サイクリング中にヘルメットカバーを取り外すのは困難である。自転車乗りがカバーをしっかり掴んでいないと、カバーは失われる危険があり、それは、その他の道路利用者の邪魔となって、その他の道路利用者を危険にさらす可能性がある。
【０００８】
既知のカバーの別の不便なところは、カバーの固定位置で、カバーとヘルメットの間に風が流れて、ヘルメットの空気力学を低下させ、カバーの縁部に乱流を生じさせて、邪魔な騒音をもたらす傾向があることである。
【０００９】
以上のことから、特に、容易でフレキシブルな取り外しと、同時に空気力学的であることに関する上記要求および欠点に対処することを可能にするヘルメットカバーの最適化の要求が依然存在するのは明らかである。
【００１０】
すなわち、本発明は、安全性を向上させるためにヘルメットを装着する自転車乗りのような交通弱者を力づける一般的な要求を満たすものであり、容易に取り外し可能なヘルメットカバーに、差別化をもたらす流行のプリント柄または模様を与えて、ヘルメットの耐衝撃性およびその他の安全特性を損なうことなく、人々が自分のヘルメットを容易にカスタマイズすることを可能にするものである。ヘルメットのアウターオカレンス（outer occurrence）の個々のデザインおよび適用性は、カバーを有するヘルメットの快適性および安全操作と併せて、全体の安全性および自転車乗りの保護を改善するヘルメットの装着を促進する。
【発明の概要】
【００１１】
本発明は、外縁部を有するドーム（dome）を備えるヘルメットカバーであって、ドームの外縁部に沿って延びる少なくとも２の係合部が設けられ、それら係合部が、ドームに対して内方向に延びるフランジによって構成されるヘルメットカバーに関するものである。
【００１２】
係合部は、好ましくはドームの対向する縁部に沿って延びる。それぞれの係合部の幅は、好ましくは等しい。
【００１３】
本発明の好ましい実施形態においては、ドームがフロント部分およびリア部分を備え、このドームの両部分の外縁部には、少なくとも、係合部が設けられていない領域が存在する。
【００１４】
カバーは、単一の材料から製造されることが好ましく、摩擦低減層により被覆されるものとすることができる。
【００１５】
本発明に係るカバーには、グラフィクスを与えることができ、このグラフィクスは、ドームに、好ましくはドームの内側を向く面に与えられる。
【図面の簡単な説明】
【００１６】
【図１】図１は、本発明に係るヘルメットカバーを有するヘルメットを示している。
【図２】図２は、本発明に係るヘルメットカバーの断面を示している。
【図３】図３は、ヘルメットに固定された本発明に係るヘルメットカバーを有する図１のヘルメットの線分ＩＩＩ−ＩＩＩに沿った断面を示している。
【発明を実施するための形態】
【００１７】
図１は、ドーム２および外縁部３を有するヘルメットカバー１を示しており、本発明においては、少なくとも２の係合部４および５が外縁部３に沿って延びている。
【００１８】
ドーム２は、使用時にヘルメットの前面に、すなわち人に装着されたときに進行方向に向けられる側に位置するフロント部分６と、リア部分７とを備える。
【００１９】
両部分６および７には、好ましくは、それぞれの外縁部３に沿って少なくとも１の係合部４，５が設けられ、それら両部分は、好ましくは、係合部が設けられていないそれぞれの外縁部の少なくとも領域８，９に沿うものとなっている。係合部４，５は、ここでは、カバーの対向する外縁部３に沿って延びることが好ましい。
【００２０】
提示の実施形態においては、図２に示されるように、係合部の各々が、外縁部３に沿って延びドーム２に対して内側に曲がるフランジからなり、それにより、図３に示すように、カバー１をヘルメットに固定する弾性的なスナップフィット（嵌合）ロックがもたらされている。
【００２１】
ヘルメットカバーは、単一の材料、好ましくは樹脂材料で製造されることが好ましく、１ｍｍまたはそれ未満の厚さを有する。適当な樹脂材料の例には、塩化ビニル樹脂、アクリル樹脂、アセテート樹脂、ポリカーボネート、ポリエチレンテレフタレート（ＰＥＴ）およびアクリロニトリル・ブタジエン・スチレン（ＡＢＳ）が含まれる。
【００２２】
係合部を含むヘルメットカバーは、基礎となるカバーを得るために、真空形成プロセスによって、透明な塩化ビニル樹脂を予め定められた形状に成形することにより製造することができる。その後、このカバーには、印刷、コーティングまたは当業者に周知のその他の適当な適用技術によって、グラフィクス層を与えることができ、そのグラフィクスは、好ましくはドーム２の内側を向く面１０に与えられ、その後、保護および不透明層が、ドーム２の内側を向く面１０においてグラフィクス層上に与えられる。
【００２３】
ドーム２の外側を向く面には、カバーに対する空気力学的挙動を向上させるために、摩擦低減層を設けることができる。
【００２４】
カバーは、ドーム状構造として成形されており、対応するヘルメット１２の図示省略の風きり凹部に対応する内側に隆起する風きり凹部１１が形成されている。風きり凹部を与えることによって、ヘルメットに取り付けたときにヘルメットカバーの風きり作用がもたらされるだけでなく、凹部１１によるリブ作用のおかげでヘルメットカバーの機械的強度も向上する。
【００２５】
図３に示すように、カバー１は、面接触形式でヘルメット１２上に取り付けられ、ドーム２の内側を向く面１０がヘルメットの外面と接触する。
【００２６】
明らかに、ヘルメットカバー１は、ヘルメットに与えられる貫通孔の少なくとも一部を閉塞し、それにより、貫通孔を介した空気、雨、太陽光放射などの進入を防ぐことができる。
【００２７】
ヘルメット１２上にヘルメットカバーが固定された状態では、係合部４および５がヘルメットのリム部分１３の周囲にスナップフィットし、それにより、ヘルメットカバーの固定を確実なものとして、ヘルメットカバー１の外縁部が風によってヘルメットから離れるのを防止することができる。
【００２８】
この実施形態においては、好ましくは、ドームのフロント部分に沿う外縁部のある領域と、ドームのリア部分に沿う外縁部のある領域には、少なくとも係合部が設けられていない。それらの領域は、ユーザがヘルメットからカバーを取り外すための理想的な把持領域である。ドームのフロント部分とドームのリア部分の両方にそのような把持領域を与えることによって、人は、状況に応じて、前から後の方向に、または後から前の方向に、ヘルメットカバーを取り外すことができる。このため、高速で、または風の強い状態で走行しているときに、人は、風向と反対の方向にカバーを取り外すことができ、それにより、カバーの下に風が流れてカバーが外れる方向に大きな力が働くのを避けることができる。
【００２９】
一つの係合部をヘルメットの対応するリムに係合接触させるとともに、その後にカバーをヘルメットに押し付けて、反対側の係合部をヘルメットの対応するリムの裏側でスナップフィットさせることにより、カバーをヘルメットに簡単に取り付けることができる。スナップフィット動作は、ヘルメットカバーの材料とその弾力性を入念に選択することによって、可聴音を伴うことができる。
【００３０】
カバーは樹脂材料から形成されて、どちらかといえば薄いため、全体として可撓性および弾力性を有する。このため、カバーを引っ張って一時的に延ばすことができ、それにより、カバーの対向する縁部の係合部間の距離を伸ばして、一動作でカバーをヘルメットにスナップフィットさせることができる。カバーは、ヘルメット上に取り付けられると、元の形状に自然に戻り、すなわち、縁部がヘルメットのリムと係合する元の位置に戻り、直ぐにカバーがヘルメットに固定される。
【００３１】
係合部、並びに、任意には、風きり凹部１１は、カバーが、ヘルメットに対して移動すること、あるいは縦または横方向に位置を変えることを防止する。
【００３２】
本発明の現時点で好ましい実施形態を、当業者に明らかとなるように詳細に説明してきたが、以下の請求項によって規定される本発明の範囲から逸脱せずに様々な変更および修正を加えることが可能である。
【図１】
2013524027.tif 000003
【図２】
2013524027.tif 000004
【図３】
2013524027.tif 000005
【図４】
2013524027.tif 000006
【国際調査報告】
2013524027.tif 000007
2013524027.tif 000008
2013524027.tif 000009